(57)【要約】  【課題】エアダウンロードの伝送容量を抑え、かつローミングの可否など第三世代携帯電話端末で必要となる不揮発設定パラメータの設定値変更が可能な保守性の優れた携帯通信端末を実現する。  【解決手段】サーバ７０と携帯通信端末１０を有する通信システム１００であって、携帯通信端末１０が、ソフトウェアを格納するソフトウェア格納手段２０と、前記ソフトウェアの動作を設定するパラメータを含むパラメータ設定情報を更新するための、前記サーバ７０から送信される更新情報を受信する更新情報受信手段５０と、前記受信した更新情報に基づいて、前記パラメータ設定情報を更新する設定情報更新手段４０とを有することで、エアダウンロードの伝送容量を抑え、かつローミングの可否など第三世代携帯電話端末で必要となる不揮発設定パラメータの設定値変更が可能な保守性の優れた通信システムを実現できる。  【選択図】  図１
2007034826.tif 000002
【特許請求の範囲】
【請求項１】
サーバおよび携帯通信端末を有する通信システムであって、前記サーバは、
前記携帯通信端末のソフトウェア動作を設定するパラメータを含むパラメータ設定情報を更新するための更新情報を格納する更新情報格納手段と、
前記更新情報を前記携帯通信端末へ送信する更新情報送信手段と
を有し、前記携帯通信端末は、
前記更新情報送信手段によって送信された更新情報を受信する更新情報受信手段と、
前記受信した更新情報に基づいて、前記パラメータ設定情報を更新する設定情報更新手段と
を有する通信システム。
【請求項２】
請求項１に記載の通信システムであって、
前記更新情報は、前記パラメータ設定情報を更新するための更新パラメータを有し、
前記設定情報更新手段は、前記更新パラメータによって前記パラメータ設定情報を更新する通信システム。
【請求項３】
請求項１に記載の通信システムであって、
前記更新情報は、前記パラメータ設定情報を更新するための更新パラメータを含む更新ファイルを有し、
前記設定情報更新手段は、前記更新ファイルに含まれる更新パラメータによって前記パラメータ設定情報を更新する通信システム。
【請求項４】
請求項１に記載の通信システムであって、
前記更新情報は前記パラメータ設定情報を更新するための更新プログラムを有し、前記設定情報更新手段は、
前記更新プログラムを実行する更新プログラム実行手段を有し、
前記更新プログラム実行手段による更新プログラムの実行結果に基づいて、前記パラメータ設定情報を更新する通信システム。
【請求項５】
請求項１ないし４のいずれか1項に記載の通信システムであって、前記携帯通信端末は、
前記ソフトウェアを変更するソフトウェア変更手段と、
前記ソフトウェア変更手段によるソフトウェアの変更および前記パラメータ設定情報に基づいて、前記ソフトウェアに含まれる所定の項目の初期値を設定する初期値設定手段と
を有する通信システム。
【請求項６】
サーバおよび携帯通信端末を有する通信システムに用いられる通信方法であって、
前記携帯通信端末のソフトウェア動作を設定するパラメータを含むパラメータ設定情報を更新するための更新情報を、前記携帯通信端末へ送信する更新情報送信ステップと、
前記更新情報送信ステップによって送信された更新情報を受信する更新情報受信ステップと、
前記更新情報受信ステップによって受信した更新情報に基づいて、前記パラメータ設定情報を更新する設定情報更新ステップと
を有する通信方法。
【請求項７】
サーバを有する通信システムに接続可能な携帯通信端末であって、
ソフトウェアを格納するソフトウェア格納手段と、
前記ソフトウェアの動作を設定するパラメータを含むパラメータ設定情報を更新するための、前記サーバから送信される更新情報を受信する更新情報受信手段と、
前記受信した更新情報に基づいて、前記パラメータ設定情報を更新する設定情報更新手段と
を有する携帯通信端末。
【発明の詳細な説明】
【技術分野】
【０００１】
本発明は、サーバならびに携帯通信端末を有する通信システム、通信方法、およびサーバを有する通信システムに接続可能な携帯通信端末に関する。
【背景技術】
【０００２】
現在、携帯通信端末のような組込みソフトウェアにより動作する携帯通信端末では、内容の消去と再書込みが電気的に可能なフラッシュメモリを搭載し、このフラッシュメモリにソフトウェアを格納しておくことが一般的となっている。フラッシュメモリを利用することにより内容の書換えが容易に可能となるため、格納している制御プログラムなどのソフトウェアの機能アップデートが可能な携帯通信端末が実現されている。
【０００３】
また、Ｗ−ＣＤＭＡ／ＵＭＴＳ方式の第三世代携帯電話では、通信速度の高速化が進められており、３８４ｋｂｐｓの高速通信が可能となっている。そのため、エアダウンロード（無線でのデータ伝送）による制御プログラムなどソフトウェアの機能アップデート方法も実用化されており、店頭での書換えや端末交換ともに、機能アップデート方法の選択肢の一つとなっている（例えば、特許文献１参照）。
【特許文献１】特開２００４−２３４５１１
【０００４】
また、第三世代携帯電話の中心的な機能として国内外での相互利用いわゆるローミング機能が注目を集めており、現状ではまだ限られた地域間ではあるが十分な相互接続試験を実施した上でサービスの提供が開始されている。
【発明の開示】
【発明が解決しようとする課題】
【０００５】
しかしながら、従来のソフトウェアのエアダウンロードによる機能アップデート方法では比較的大きな容量の制御プログラムを伝送する必要があり、エアダウンロードに時間を要し、通信事業者との契約内容によっては通信費用の負担についても考慮しなければならならないという事情があった。
【０００６】
また、従来のソフトウェアのエアダウンロードによる機能アップデート方法では、ソフトウェアのエアダウンロードは可能であるが、第三世代携帯通信端末の各種機能パラメータが設定される不揮発設定パラメータのデータ書換えは対象とされておらず、不揮発設定パラメータ変更による第三世代携帯通信端末の多種多様な機能設定変更には対応できないという事情があった。
【０００７】
さらに、ローミング対応のため、通常、携帯通信端末の発売までに十分な相互接続試験の実施が必要であり、特に国際ローミング対応のためには膨大な数のオペレータやネットワークベンダとの相互接続試験となり、すべての試験完了まで待つと発売時期の遅延を懸念しなければならないという事情があった。
【０００８】
本発明は従来の事情を鑑みてなされたものであり、エアダウンロードの伝送容量を抑え、かつローミングの可否など第三世代携帯電話端末で必要となる不揮発設定パラメータの設定値変更が可能な保守性の優れた通信システム、通信方法および携帯通信端末を実現することを目的とする。
【課題を解決するための手段】
【０００９】
上記目的を達成するために、本発明の第１の通信システムは、サーバおよび携帯通信端末を有する通信システムであって、前記サーバは、前記携帯通信端末のソフトウェア動作を設定するパラメータを含むパラメータ設定情報を更新するための更新情報を格納する更新情報格納手段と、前記更新情報を前記携帯通信端末へ送信する更新情報送信手段とを有し、前記携帯通信端末は、前記更新情報送信手段によって送信された更新情報を受信する更新情報受信手段と、  前記受信した更新情報に基づいて、前記パラメータ設定情報を更新する設定情報更新手段とを有する構成としている。
【００１０】
この構成により、不揮発設定パラメータの設定値を変更することにより携帯通信端末の機能を必要に応じて変更することができるので、制御プログラムなどのソフトウェアをそのままダウンロードするのに比べて少ない伝送量で機能アップデートが実現でき、また発売後に相互接続試験の検証ができてからローミング機能を有効に変更することができるので、先行発売が可能な保守性の優れた通信システムを実現することができる。
【００１１】
また、本発明の第２の通信システムは、前記更新情報が、前記パラメータ設定情報を更新するための更新パラメータを有し、前記設定情報更新手段が、前記更新パラメータによって前記パラメータ設定情報を更新する構成としている。
【００１２】
この構成により、不揮発設定パラメータの設定値を変更することにより携帯通信端末の機能を必要に応じて変更することができるので、制御プログラムなどのソフトウェアをそのままダウンロードするのに比べて少ない伝送量で機能アップデートが実現でき、また発売後に相互接続試験の検証ができてからローミング機能を有効に変更することができるので、先行発売が可能な保守性の優れた通信システムを実現することができる。
【００１３】
また、本発明の第３の通信システムは、前記更新情報が、前記パラメータ設定情報を更新するための更新パラメータを含む更新ファイルを有し、前記設定情報更新手段が、前記更新ファイルに含まれる更新パラメータによって前記パラメータ設定情報を更新する構成としている。
【００１４】
この構成により、不揮発設定パラメータの書換え用データを含むソフトウェアファイルをエアダウンロードし不揮発設定パラメータの書換え用データ部分を切り出して不揮発設定パラメータを書換えることによって、携帯通信端末の機能設定を必要に応じて変更することができるので、保守性の優れた通信システムを実現ことができる。
【００１５】
また、本発明の第４の通信システムは、前記更新情報が前記パラメータ設定情報を更新するための更新プログラムを有し、前記設定情報更新手段が、前記更新プログラムを実行する更新プログラム実行手段を有し、前記更新プログラム実行手段による更新プログラムの実行結果に基づいて、前記パラメータ設定情報を更新する構成としている。
【００１６】
この構成によれば、不揮発設定パラメータ書換えプログラムをエアダウンロードしそのプログラムを実行することによって、不揮発設定パラメータを書換えて携帯通信端末の機能設定を必要に応じて変更することができるので、保守性の優れた通信システムを実現ことができる。
【００１７】
また、本発明の第５の通信システムは、前記携帯通信端末が、前記ソフトウェアを変更するソフトウェア変更手段と、前記ソフトウェア変更手段によるソフトウェアの変更および前記パラメータ設定情報に基づいて、前記ソフトウェアに含まれる所定の項目の初期値を設定する初期値設定手段とを有する構成としている。
【００１８】
この構成によれば、エアダウンロードによるソフトウェアの変更により不揮発設定パラメータがデフォルト値を適用するように設定されている項目について、必要に応じ機能設定を変更することができるので、保守性の優れた通信システムを実現することができる。
【００１９】
また、本発明の第１の通信方法は、サーバおよび携帯通信端末を有する通信システムに用いられる通信方法であって、前記携帯通信端末のソフトウェア動作を設定するパラメータを含むパラメータ設定情報を更新するための更新情報を、前記携帯通信端末へ送信する更新情報送信ステップと、前記更新情報送信ステップによって送信された更新情報を受信する更新情報受信ステップと、前記更新情報受信ステップによって受信した更新情報に基づいて、前記パラメータ設定情報を更新する設定情報更新ステップとを有する方法としている。
【００２０】
この方法により、不揮発設定パラメータの設定値を変更することにより携帯通信端末の機能を必要に応じて変更することができるので、制御プログラムなどのソフトウェアをそのままダウンロードするのに比べて少ない伝送量で機能アップデートが実現でき、また発売後に相互接続試験の検証ができてからローミング機能を有効に変更することができるので、先行発売が可能な保守性の優れた通信方法を実現することができる。
【００２１】
また、本発明の第１の携帯通信端末は、サーバを有する通信システムに接続可能な携帯通信端末であって、ソフトウェアを格納するソフトウェア格納手段と、前記ソフトウェアの動作を設定するパラメータを含むパラメータ設定情報を更新するための、前記サーバから送信される更新情報を受信する更新情報受信手段と、前記受信した更新情報に基づいて、前記パラメータ設定情報を更新する設定情報更新手段とを有する構成としている。
【００２２】
この構成により、不揮発設定パラメータの設定値を変更することにより携帯通信端末の機能を必要に応じて変更することができるので、制御プログラムなどのソフトウェアをそのままダウンロードするのに比べて少ない伝送量で機能アップデートが実現でき、また発売後に相互接続試験の検証ができてからローミング機能を有効に変更することができるので、先行発売が可能な保守性の優れた携帯通信端末を実現することができる
【発明の効果】
【００２３】
本発明は、エアダウンロードの伝送容量を抑え、かつローミングの可否など第三世代携帯電話端末で必要となる不揮発設定パラメータの設定値変更が可能な保守性の優れた通信システム、通信方法および携帯通信端末を実現することができる。
【発明を実施するための最良の形態】
【００２４】
以下、本発明の実施形態について、図面を参照して詳細に説明する。
（第１の実施形態）
【００２５】
図１は本発明の第１の実施形態における通信システムのブロック図である。本発明の第１の実施形態の通信システム１００は、携帯通信端末１０、無線基地局６０、Ｗｅｂサーバ７０、インターネット８０、ＳＧＳＮ（Ｓｅｒｖｉｎｇ  ＧＰＲＳ  Ｓｕｐｐｏｒｔｉｎｇ  Ｎｏｄｅ）８１およびＧＧＳＮ（Ｇａｔｅｗａｙ  ＧＰＲＳ  Ｓｕｐｐｏｒｔｉｎｇ  Ｎｏｄｅ）８２を有する。携帯通信端末１０とは例えば携帯電話端末などである。また、携帯通信端末１０は、フラッシュメモリ２０、主メモリ（ＲＡＭ）３０、ＣＰＵ４０および無線部５０を有する。また、フラッシュメモリ２０は、不揮発設定パラメータ２１、アプリケーション用制御プログラム２２、伝送用制御プログラム２３およびブートローダプログラム２４を有する。また、Ｗｅｂサーバ７０は、アップデート用不揮発設定パラメータファイル７１を有する。
【００２６】
ここで、アップデート用不揮発設定パラメータファイル７１は更新情報格納手段の一例である。また、無線基地局６０は更新情報送信手段の一例である。また、無線部５０は更新情報受信手段の一例である。また、設定情報更新手段は、ＣＰＵ４０に含まれる。
【００２７】
フラッシュメモリ２０は、データの消去や読み書きが自由にでき、電源を切ってもデータ内容が消去されない半導体メモリの一種である。また、主メモリ３０は電源を切るとデータ内容が失われる半導体メモリの一種である。また、ＣＰＵ４０は各種処理を実施する。また、無線部５０は無線基地局６０との間でデータやファイルなどの送受信を行う。
【００２８】
また、不揮発設定パラメータ２１の詳細に関しては、後述する。また、アプリケーション用制御プログラム２２は、各種アプリケーションを動作させるために必要なプログラムである。また、伝送用制御プログラム２３は、無線部と無線基地局６０との間でデータやファイルの送信または受信を行うために必要なプログラムである。また、ブートローダプログラム２４は、携帯通信端末１０の起動直後に動作し、ＯＳ（オペレーティングシステム）を起動させるためのプログラムである。また、アップデート用不揮発設定パラメータファイル７１は、インターネット８０、ＳＧＳＮ８１およびＧＧＳＮ８２を経由し、無線基地局６０を通じて携帯通信端末１０と接続できるようになっている。
【００２９】
また、ＳＧＳＮ８１とは、ユーザからの接続要求にしたがって、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のパケット転送プロトコルによって、ＩＰパケットをルーティング、転送するルータの一種であるとともに、パケット転送を制御する制御機能を有する。また、ＧＧＳＮ８２とは、ユーザからの接続要求にしたがって、ＵＭＴＳと外部ＩＰネットワークとの接続を制御する機能のことである。ここで、ＵＭＴＳのパケット交換ネットワークでは、ＧＰＲＳのネットワーク技術を基本とし、前述のＳＧＳＮ８１とＧＧＳＮ８２の機能から構成される。
【００３０】
以上のように構成された携帯情報装置１０について、図２のフローチャートを用いてその動作を説明する。図２は本発明の第１の実施形態における機能アップデート処理のフローチャートである。
【００３１】
まず、ユーザが携帯通信端末１０を操作することにより、ＣＰＵ４０はアプリケーション用制御プログラム２２や伝送用制御プログラム２３を連携動作させて、Ｗｅｂサーバ７０に接続し、Ｗｅｂサーバ７０上にアップデートすべき不揮発設定パラメータファイル７１が存在するか否かを確認する（ステップＳ２０１）。アップデートすべき不揮発設定パラメータファイル７１が存在しない場合は、ここで処理を終了する。
【００３２】
ＣＰＵ４０は、Ｗｅｂサーバ７０上のアップデート用不揮発設定パラメータファイル７１を携帯通信端末１０にエアダウンロードして主メモリ３０に格納する（ステップＳ２０２）。なお、無線基地局６０と携帯通信端末１０との間が無線（エア）でデータ伝送されるために本動作をエアダウンロードと呼ぶ。
【００３３】
ＣＰＵ４０は、エアダウンロード処理により最後のデータまで受信できたか、エアダウンロードされた不揮発設定ファイル２１に誤りがないかなど、エアダウンロード処理が成功したか否かを確認する（ステップＳ２０３）。そしてエアダウンロードに失敗した場合は、選択によりリトライを実施するか否かを判定する（ステップＳ２０４）。リトライを行う場合はステップＳ２０２の直前に処理は戻り、リトライを行わない場合は処理を終了する。また、なお本選択の方法には、リトライ回数の上限を定めておき自動で選択することや、携帯通信端末１０を操作するユーザに選択させることが考えられ、また失敗の種類毎に選択の方法を変えることも可能である。エアダウンロードに成功した場合は、ＣＰＵ４０は主メモリ３０上に格納した不揮発設定パラメータファイル７１のデータをもとに、フラッシュメモリ２０上の不揮発設定パラメータ２１に不揮発設定パラメータファイル７１の内容を書き込む（ステップＳ２０５）。
【００３４】
以上により、エアダウンロードによる携帯通信端末１０の不揮発設定パラメータ２１の更新が可能となる。なお、前記の実施例では、不揮発設定パラメータファイル７１を直接ダウンロードする例を示したが、代わりにＣＰＵ４０は不揮発設定パラメータ２１の書換え用データを含むソフトウェアファイルをエアダウンロードし、携帯通信端末１０上の処理で不揮発設定パラメータ２１の書換えデータを切り出して、不揮発設定パラメータ２１を更新する構成も可能である。
【００３５】
同様に、ＣＰＵ４０が不揮発設定パラメータ２１を直接ダウンロードする代わりに、不揮発設定パラメータ２１の書換えプログラムをエアダウンロードするようにして、エアダウンロードした不揮発設定パラメータ２１の書換えプログラムを携帯通信端末１０上で実行する構成も可能である。
【００３６】
次に不揮発設定パラメータ２１について、第三世代携帯電話Ｗ−ＣＤＭＡ／ＵＭＴＳ方式のレイヤ２、３に対応した伝送用制御プログラム２３の不揮発設定パラメータ２１を例に、簡単に説明する。
【００３７】
本方式の不揮発設定パラメータ２１の項目は、Ｎｅｔｗｏｒｋ  Ｌｏｃｋ機能設定、故障履歴情報、報知受信関連タイマ、ＢＡＮＤサーチ閾値および間隔、ＰＬＭＮ（Ｐｕｂｌｉｃ  Ｌａｎｄ  Ｍｏｂｉｌｅ  Ｎｅｔｗｏｒｋ）選択のサーチ間隔および上限回数、Ｅｑｕｉｖａｌｅｎｔ  ＰＬＭＮリスト、周波数ＩＤリスト、伝送データ用のフロー制御各種閾値、各種イベント待ちタイマ、各種イベントキューの最大数と優先度、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｙ）、デバッグ用情報出力設定など多種多様である。
【００３８】
前記不揮発設定パラメータ２１の項目例の内、故障履歴情報、ＩＭＳＩ、およびデバッグ用情報出力設定は、個々の携帯通信端末１０に固有の情報項目であるので、これらの項目についてはエアダウンロードによって変更されないような管理が必要である。また、他の項目でも容易に変更して良い項目と、慎重に判断して変更すべき項目のレベル差が存在するため、このレベル差についても管理することが望ましい。
【００３９】
管理方法の一例として、これらエアダウンロードによる変更のレベル差により、項目が格納される領域を分けて定義し管理する方法が考えられる。また、不揮発設定パラメータ２１の書き換えを実施する携帯通信端末１０のプログラムに、項目ごとの変更可否レベルのルールを記憶させておく方法なども考えられる。
【００４０】
不揮発設定パラメータ２１の変更例として、ホームＰＬＭＮのみを有効に限定、すなわちローミングを無効とする不揮発設定パラメータ２１であるＮｅｔｗｏｒｋ  Ｌｏｃｋ機能設定を有効から無効に変更し、相互接続試験の結果判明したローミング先で必要な各種設定について、該当する不揮発設定パラメータの設定を変更する。これにより、エアダウンロードによる不揮発設定パラメータ２１の設定の変更が可能となり、ローミングが可能な携帯通信端末１０に機能アップデートができる。また、携帯通信端末１０を発売後にローミングを許可するように機能アップデートすることも可能である。
【００４１】
このような本発明の第１の実施形態における通信システム１００は、サーバ７０および携帯通信端末１０を有する通信システム１００であって、サーバ７０は、ソフトウェア２２または２３の動作を設定するパラメータを含むパラメータ設定情報２１を更新するための更新情報を格納する更新情報格納手段２０と、前記更新情報を前記携帯通信端末１０へ送信する更新情報送信手段６０とを有し、前記携帯通信端末１０は、前記更新情報送信手段６０によって送信された更新情報を受信する更新情報受信手段５０と、前記受信した更新情報７１に基づいて、前記パラメータ設定情報２１を更新する設定情報更新手段とを有することにより、不揮発設定パラメータ２１の設定値を変更することにより携帯通信端末１０の機能を必要に応じて変更することができるので、制御プログラム２２または２３などのソフトウェアをそのままダウンロードするのに比べて少ない伝送量で機能アップデートが実現でき、また発売後に相互接続試験の検証ができてからローミング機能を有効に変更することができるので、先行発売が可能な保守性の優れた通信システム１００を実現することができる。
（第２の実施形態）
【００４２】
次に、ソフトウェア変更により、不揮発設定パラメータ２１によりデフォルト時にアプリケーションプログラムの項目の適用値を読み替えることによって、機能アップデートする方法について説明する。本発明の第２の実施形態における通信システムの構成は、第１の実施形態における通信システム１００の構成と同様であるので、図１のブロック図における各構成部の名称、符号をそのまま引用する。また、ここではソフトウェアの変更を伝送用制御プログラム２３の変更とするが、認証プログラム、購入指示プログラム、表示操作指示プログラム、コンテンツ管理プログラム、コンテンツ再生プログラムなどで構成されるアプリケーション用プログラム２２でも同様である。
【００４３】
ここで、ソフトウェア変更手段は、ソフトウェア変更機能を持つブートローダプログラム２４をＣＰＵ４０で実行することにより実現する。また、初期値設定手段は、制御プログラム２２、２３をＣＰＵ４０で実行することにより実現する。
【００４４】
代表的な不揮発設定パラメータ２１の項目については先に述べたが、これらの不揮発設定パラメータ２１の項目の多くは、デフォルト値が定められており、不揮発設定パラメータ２１にデフォルトを示す値が設定された場合には、デフォルト値を適用する仕様となっている。ここでは一例として、あるタイマの項目に関して、不揮発設定パラメータ２１の値が０であればデフォルトが指定されることを示し、そのデフォルト値は５（秒）とする。このタイマの項目が不揮発設定パラメータ２１で０が設定されていたときに、ソフトウェア変更により、本タイマが１０（秒）で適用されるように機能アップデートする方法について説明する。
【００４５】
図３は本発明の第２の実施形態におけるソフトウェア変更前の不揮発設定パラメータ２１の適用処理のフローチャートである。図３を用いて、まずソフトウェア変更前に本タイマに５秒が適用される動作を説明する。
【００４６】
ＣＰＵ４０は伝送系制御プログラム２３を実行すると、フラッシュメモリ２０の不揮発設定パラメータ２１から必要な項目を読み出す（ステップＳ３０１）。そして伝送系制御プログラム２３により、読み出された項目の値がデフォルトの適用を実施するか否かを判断する。ここでは不揮発設定パラメータ２１に０が設定されているので、デフォルトの適用と判断される（ステップＳ３０２）。伝送系制御プログラム２３のタイマの項目のデフォルト値により、デフォルト値の５（秒）が適用となる（ステップＳ３０３）。以上により、ソフトウェア変更前は、本タイマは５秒が適用される。
【００４７】
次に、ソフトウェアのエアダウンロードにより、本タイマの項目のデフォルト値を１０秒に変更する動作について、図４のフローチャートを用いて説明する。図４は本発明の第２の実施形態におけるソフトウェア更新後の不揮発設定パラメータ２１の適用処理のフローチャートである。尚、図４におけるステップＳ３０１〜Ｓ３０３は図３の同ステップと同様の処理を行う。
【００４８】
まず、タイマの項目のデフォルト値が１０秒である伝送系制御プログラム２３をエアダウンロードし、フラッシュメモリ２０に格納する（ステップＳ４０１）。ＣＰＵ４０はこの伝送系制御プログラム２３を実行すると、フラッシュメモリ２０の不揮発設定パラメータ２１から必要な項目が読み出される（ステップＳ３０１）。伝送系制御プログラム２３により、読み出した項目の値がデフォルトの適用を実施するか否かを判断する。本タイマの項目の場合、不揮発設定パラメータ２１に０が設定されているので、デフォルトの適用と判断される（ステップＳ３０２）。伝送系制御プログラム２３が持っている本項目のデフォルト値により、デフォルト値の１０（秒）が適用となる（ステップＳ３０３）。以上により、ソフトウェア変更後は、本タイマは１０秒が適用される。
【００４９】
このように不揮発設定パラメータ２１がデフォルトの値を指定していれば、ソフトウェア変更により、機能アップデートが可能である。逆に言えば、この機能アップデート方法を利用するためには、携帯通信端末１０に格納されている不揮発設定パラメータ２１がデフォルトを適用させる値を選択している必要がある。したがって、本方法を用いてより確実に機能アップデートできるようにするためには、変更の可能性がある不揮発設定パラメータ２１の出荷時設定は、デフォルト値が選択されるようにあらかじめ仕様を規定することが望ましい。
【００５０】
このような本発明の第２の実施形態における通信システム１００によれば、ソフトウェア２３を変更するソフトウェア変更手段と、ソフトウェア変更手段によるソフトウェア２３の変更およびパラメータ設定情報２１に基づいて、前記ソフトウェア２１に含まれる所定の項目の初期値を設定する初期値設定手段とを有することにより、エアダウンロードによるソフトウェア２３の変更により不揮発設定パラメータ２１がデフォルト値を適用するように設定されている項目について、必要に応じ機能設定を変更することができるので、保守性の優れた通信システム１００を実現することができる。
【産業上の利用可能性】
【００５１】
本発明は、エアダウンロードの伝送容量を抑え、かつローミングの可否など第三世代携帯電話端末などで必要となる不揮発設定パラメータの設定値変更が可能な保守性の優れた通信システム、通信方法および携帯通信端末等に有用である。
【図面の簡単な説明】
【００５２】
【図１】本発明の第１の実施形態における通信システムのブロック図
【図２】本発明の第１の実施形態における機能アップデート処理のフローチャート
【図３】本発明の第２の実施形態におけるソフトウェア更新前の不揮発設定パラメータの適用処理のフローチャート
【図４】本発明の第２の実施形態におけるソフトウェア更新後の不揮発設定パラメータの適用処理のフローチャート
【符号の説明】
【００５３】
１００  通信システム
１０  携帯通信端末 
２０  フラッシュメモリ
２１  不揮発設定パラメータ
２２  アプリケーション用制御プログラム
２３  伝送用制御プログラム
２４  ブートローダプログラム
３０  主メモリ（ＲＡＭ）
４０  ＣＰＵ
５０  無線部
６０  無線基地局
７０  ｗｅｂサーバ
７１  アップデート用不揮発設定パラメータファイル
８０  インターネット
８１  ＳＧＳＮ
８２  ＧＧＳＮ
【図１】
2007034826.tif 000003
【図２】
2007034826.tif 000004
【図３】
2007034826.tif 000005
【図４】
2007034826.tif 000006